(57)【特許請求の範囲】
【請求項１】
基板に設けられている開口を開閉する閉鎖羽根を駆動する閉鎖レバーと、前記開口を開放する方向へ前記閉鎖レバーを付勢する付勢部材と、前記開口を開閉する開放羽根を駆動する開放レバーと、前記閉鎖レバーと前記開放レバーとを所定位置にセットするセットレバーとを備え、
前記閉鎖レバーは第１閉鎖レバーと第２閉鎖レバーとからなり、
前記第２閉鎖レバーは、前記第１閉鎖レバーとともに同軸に揺動自在に支持され、かつ前記第１閉鎖レバーに追従可能であり、
前記基板には、前記第２閉鎖レバーが前記付勢部材の付勢力により揺動されて前記閉鎖羽根を前記開口から退避させた際に、前記第２閉鎖レバーが当接するストッパ部が設けてある
ことを特徴とするフォーカルプレーンシャッタ。
【請求項２】
請求項１において、前記ストッパ部は、前記基板に一体的に形成されていることを特徴とするフォーカルプレーンシャッタ。
【請求項３】
請求項１または２において、前記第１閉鎖レバーは電磁手段により保持されることを特徴とするフォーカルプレーンシャッタ。
【発明の詳細な説明】
【０００１】
【発明の属する技術分野】
本発明はカメラ用シャッタに関し、さらに詳しくは露出制御手段の開放動作を開放羽根（先幕）、及び閉鎖動作を閉鎖羽根（後幕）によって行うものに関するものである。
【０００２】
【従来の技術】
開放羽根と閉鎖羽根により露出制御を行うシャッタは、それぞれの開放動作及び閉鎖動作を行うための開放レバー及び閉鎖レバーの駆動力を電磁石により吸着保持し、電磁石の電流をオフすることにより開放動作及び閉鎖動作を行い、開放電磁石と閉鎖電磁石のオフするタイミングを変えることにより露出制御を行っている。
【０００３】
二重遮光形式のフォーカルプレーンシャッタの場合、レリーズ前状態では閉鎖羽根及び開放羽根の双方が閉じており、レリーズ動作により、まず、閉鎖羽根が折りたたまれ開口から退避し、次いで開放羽根が折りたたまれて開口から退避し、これにより開口が開いて露光を開始すし、所定時間経過後に閉鎖羽根を閉じて露光終了し、更にリセット動作により開放羽根を閉じてレリーズ前状態に戻るようになっている。
【０００４】
従来の具体的な構成を図５及び図６に示すと、基板１に開口１０が設けられている。基板１上の軸１ａには、セットレバー３０が揺動自在に嵌合しており、セットレバー３０の突部３０ａは、後述の第１閉鎖レバー２１を初期位置にセットするためのものであり、突部３０bは、後述の開放レバー２３を初期位置にセットするためのである。基板１に立設した軸１ｂには、第１閉鎖レバー２１と第２閉鎖レバー２２の中心軸部２１ａと２２ａがそれぞれ回転自在に嵌合している。第１閉鎖レバー２１は不図示の閉鎖ばねにより時計回り（以下、「右旋」という。）方向に付勢されている。そして、ばね４１がアーム４０ａにかけられ、アーム４０を介して第２閉鎖レバー２２が反時計回り（以下、「左旋」という。）に付勢されている。また第１閉鎖レバー２１に、半円柱状のピン２１ｂを突設しており、このピン２１ｂの中心面に第２閉鎖レバー２２の側面が当接することにより、第２閉鎖レバー２２を第１閉鎖レバー２１に追従可能にしている。
【０００５】
さらに基板１上の軸１ｃには開放レバー２３の中心軸部２３ａが回転自在に嵌合しており、不図示の開放ばねにより右旋方向に付勢されている。第２閉鎖レバー２２と開放レバー２３のそれぞれの先端に設けられた駆動ピン２２ｂ、２３ｂは、基板１に設けられた円弧状の透孔１ｄ、１ｅを貫通して基板１の下方に突出し、駆動ピン２２ｂは、閉鎖羽根ユニットのアーム４０ａ，４０ｂのうちの主アーム４０ａに連結してあり、駆動ピン２３ｂは不図示の開放羽根ユニットの主アームに連結してある。主アーム４０ａは、ばね４１により左旋方向に付勢されており、このばね４１により第２閉鎖レバー２２を開口１０を開放する方向に付勢している。また開放羽根ユニットの主アームは、不図示のばねにより右旋方向（開口１０を開放する方向）に付勢されている。
【０００６】
図５は、レリーズ前状態からレリーズスイッチが押されて第２閉鎖レバー２２がばね４１により左旋した状態を示しており、閉鎖羽根が開口１０から退避して折りたたまれた位置にきている。また駆動ピン２３ｂは透孔１ｅの上端部に位置して開放羽根が広がることにより開口１０を閉じている。この状態で、第１閉鎖レバー２１は、その軟磁性板２１ｃが基板１に固定されている閉鎖電磁石１１に吸着され、開放レバー２３は、その軟磁性板２３ｃが基板１に固定されている開放電磁石１２に吸着されている。このように、図５は、閉鎖羽根が開口１０から退避し、開放羽根が開口１０を閉じた一重遮光の状態であり、これは露光前状態である。
【０００７】
レリーズ前状態から図５に示す露光前状態になる際に、第２閉鎖レバー２２はばね４１にチャージされているばね力で左旋し、第１閉鎖レバー２１のピン２１ｂにぶつかって停止する。図６に、第２閉鎖レバー２２の側面が、ばね４１のばね力により第１閉鎖レバー２１の半円柱状のピン２１ｂの中心面にぶっかって停止した様子を示している。主アーム４０ａの下方に羽根受板５が位置しており、不図示の開放羽根及び閉鎖羽根は、アームと羽根受板５との間に位置するものである。
【０００８】
【発明が解決しようとする課題】
このような従来の構成では、レリーズ前状態から露光直前状態になる際に、第１閉鎖レバー２１の半円柱状のピン２１ｂの中心面に、第２閉鎖レバー２２の側面がばね４１のばね力により衝突する。第１閉鎖レバー２１は、閉鎖電磁石１１との間の吸着力により位置保持されているので、このときの衝撃力によって閉鎖電磁石１１から一瞬離れることがあり、このために吸着力が低下し、不図示のばねにより右旋してしまうことがある。こうなると第２閉鎖レバー２２もピン２１ｂに押されて追従して右旋し、再び閉鎖羽根により開口１０を閉じてしまうこととなるので、以後の正常な撮影動作ができなくなるという問題点があった。
【０００９】
そこで本発明は、レリーズ前状態から露光直前状態になる際に、第１閉鎖レバーが電磁石から離れて右旋することが生じない構成とし、常に安定した撮影ができるフォーカルプレーンシャッタを提供する。
【００１０】
【課題を解決するための手段】
本発明のフォーカルプレーンシャッタは、基板に設けられている開口を開閉する閉鎖羽根を駆動する閉鎖レバーと、前記開口を開放する方向へ前記閉鎖レバーを付勢する付勢部材と、前記開口を開閉する開放羽根を駆動する開放レバーと、前記閉鎖レバーと前記開放レバーとを所定位置にセットするセットレバーとを備えている。前記閉鎖レバーは第１閉鎖レバーと第２閉鎖レバーとからなり、前記第２閉鎖レバーは、前記第１閉鎖レバーとともに同軸に揺動自在に支持され、かつ前記第１閉鎖レバーに追従可能であり、前記基板には、前記第２閉鎖レバーが前記付勢部材の付勢力により揺動されて前記閉鎖羽根を前記開口から退避させた際に、前記第２閉鎖レバーが当接するストッパ部が設けてあることを特徴としている。基板にストッパ部を設けているので、付勢部材により第２閉鎖レバーを開口が開放する方向へ揺動させた際に、付勢力による衝撃力をストッパ部で受けることができ、第１閉鎖レバーに悪影響を与えることがなく、以後の撮影動作を正常に行うことができる。
【００１１】
前記ストッパ部は、前記基板に一体的に形成されていることが好ましく、部品点数が増加せず、組み立ての煩雑さがない。
【００１２】
【発明の実施の形態】
本発明の実施の一形態について図面を参照して説明する。図１は本発明のフォーカルプレーンシャッタの駆動部を拡大して示したものであり、駆動部により駆動される閉鎖羽根や開放羽根等の図示は省略してある。また、図５で説明した各要素と実質的に同一の部分については、同一の名称と符号を付しているので、説明を省略している。
【００１３】
図１は本発明の二重遮光形式のフォーカルプレーンシャッタにおけるレリーズ前状態を示している。第１閉鎖レバー２１は段付きの軸１ｂの小径部に中心軸部２１ａを嵌合させてあり、図５の場合と同様に左旋位置にあり、第１閉鎖レバー２１に設けた軟磁性板２１ｃは、閉鎖電磁石１１に吸着されている。第２閉鎖レバー２２は、段付きの軸１ｂの大径部に中心軸部２２ａを嵌合させてあり、軸１ｂを中心にして右旋方向に揺動した位置にある。第２閉鎖レバー２２は付勢部材であるばね４１の付勢力により第１閉鎖レバー２１に対して左旋方向、即ち、閉鎖羽根が開口１０を開放する方向に付勢されているが、不図示のロックレバーに係止されているので、付勢力に抗して右旋位置にあり、透孔１ｄの下端部に保持されている。このために、第２閉鎖レバー２２の先端に設けてある駆動部（駆動ピン）２２ｂにより閉鎖羽根ユニットのアーム４０ａ，４０ｂを介して閉鎖羽根が広がる方向へ駆動されて開口１０を閉じている。
【００１４】
また開放レバー２３は軸１ｃを中心にして左旋位置にあり、その駆動ピン２３ｂにより開放羽根ユニットのアームを介して開放羽根が広がる方向に駆動されて開口１０を閉じている。開放レバー２３に設けた軟磁性板２３ｃは、開放電磁石１２に吸着されている。このように、図１に示すレリーズ前状態では、閉鎖羽根及び開放羽根はともに広がり開口１０を閉じた位置に保持されており、第１閉鎖レバー２１は左旋位置にあって閉鎖電磁石１１に吸着されており、第２閉鎖レバー２２に付勢力を及ぼしているばね４１には、付勢力がチャージされている。
【００１５】
基板１には透孔１ｄの上端部の近傍に、基板１と一体的にストッパ部１ｆが形成してある。このストッパ部１ｆは、図２に示すように、基板１から立ち曲げて第２閉鎖レバー２２の側面に当接する位置に延伸している。ストッパ部１ｆの延伸長さは、第１閉鎖レバー２１が左旋した位置において、半円柱状のピン２１ｂの中心面よりも第２閉鎖レバー２２の側面に接近している長さであることが必要である。この構成により、第２閉鎖レバー２２がばね４１の付勢力により左旋方向に揺動した際には、図２に示すように、第２閉鎖レバー２２の側面がストッパ部１ｆに衝突して停止する。このときピン２１ｂの中心面と第２閉鎖レバー２２の側面との間には、間隔ｇが残されているので、第２閉鎖レバー２２が第１閉鎖レバー２１に直接衝突することはない。
【００１６】
このような図１に示す二重遮光の状態のレリーズ前状態から、不図示のカメラのレリーズスイッチを押すと、図示していないモータによりセットレバー３０が左旋して図３の状態になる。セットレバー３０の左旋により、不図示のロックレバーによる第２閉鎖レバー２２の係止が外れるので、第２閉鎖レバー２２はばね４１にチャージされている付勢力により左旋する。この左旋により図２に示したように第２閉鎖レバー２２の側面がストッパ部１ｆに衝突して停止する。第１閉鎖レバー２１の位置は、軟磁性板２１ｃが閉鎖電磁石１１に吸着されたままであるので、図１の位置と変わらない。また開放レバー２３の位置も同様である。このために図３の状態では、閉鎖羽根は折りたたまれて開口１０から退避した状態となっており、開放羽根は広がって開口１０を閉じた状態になっている。即ち、開放羽根のみによる一重遮光の状態であり、これは露光直前状態であることを意味している。
【００１７】
図３の状態で開放電磁石１２への通電を停止すると、軟磁性板２３ｃに対する吸着力が消失し、開放レバー２３はばねの付勢力により右旋して、図４に示すように駆動ピン２３ｂが透孔１ｅの下端部へ移動し、この結果、開放羽根は開口１０から退避して折りたたまれた状態となる。図３の状態において既に閉鎖羽根が開口１０から退避して折りたたまれた状態になっていたことと合わせて、この状態では、開口１０が開いた露光状態であることを意味している。
【００１８】
閉鎖羽根と開放羽根の両者が折りたたまれて、開口が完全に開き、所定の時間が経った後に、閉鎖電磁石１１の通電を停止する。このために軟磁性板２１ｃに対する吸着力が消失し、第１閉鎖レバー２１はばねの付勢力により右旋する。第１閉鎖レバー２１が右旋を始めた初期には、ピン２１ｂの中心面と第２閉鎖レバー２２の側面との間には間隔ｇがあるので、第２閉鎖レバー２２は直ちに第１閉鎖レバー２１に追従しないが、ピン２１ｂの中心面が第２閉鎖レバー２２の側面に当接した後は、第２閉鎖レバー２２もばね４１の付勢力に抗してばね４１をチャージしながら第１閉鎖レバー２１に追従して右旋する。そこで駆動ピン２２ｂが透孔１ｄの下端部に移動するので、閉鎖羽根は広げられて開口１０を閉じた状態になる。閉鎖羽根を広げ開口を閉じることにより露光が終了し、１コマ分の撮影が終わる。これが図４の状態であり、閉鎖羽根により開口１０を閉じ、開放羽根はまだ開口１０から退避して折りたたまれたままの露光動作直後の状態であることを意味している。
【００１９】
この後で、図１のレリーズ前状態に部材をセットするために、セットレバー３０が右旋を始める。このとき、不図示のロックレバーが回動されて第２閉鎖レバー２２に係合し、第２閉鎖レバー２２が第１閉鎖レバー２１の左旋に追従することを阻止する。さらにセットレバー３０の突部３０ａが第１閉鎖レバー２１を左旋させ、突部３０ｂが開放レバー２３の突部２３ｄを押すことで開放レバー２３を左旋させる。このようにして第１閉鎖レバー２１及び開放レバー２３が、セットレバー３０の右旋により左旋され、閉鎖及び開放電磁石１１，１２によりそれぞれ吸着され、ばね４１に付勢力がチャージされた図１に示すレリーズ前状態に戻る。
【００２０】
また、本実施例では、引張りばねがアームにかけられていたが、引張りばねを第１閉鎖部材と第２閉鎖部材とにかけて第２閉鎖部材に左旋の付勢力がかかるように構成してもよい。
【００２１】
【発明の効果】
本発明は、基板にストッパ部を設けているので、第２閉鎖レバーが付勢部材の付勢力によりレリーズ前状態から露光前状態に揺動された際に、第２閉鎖レバーの側面がストッパ部に衝突し、第１閉鎖レバーにはこの時の付勢力による衝撃が及ばない。このために電磁石による吸着力で位置保持されている第１閉鎖レバーの位置に影響を及ぼすことがなく、第１閉鎖レバーは安定して所定の位置に保持され、それ以後の撮影動作を定められた通りに安定して進行させることができる。また、ストッパ部を基板に一体的に形成すると、構成が簡単にでき、組み立て上の煩雑さも生じない。
【図面の簡単な説明】
【図１】本発明のフォーカルプレーンシャッタにおけるシャッタ駆動機構のレリーズ前状態を示す正面図である。
【図２】同、第２閉鎖レバーのストッパ部を説明する拡大断面図である。
【図３】同、露光前の状態を示す正面図である。
【図４】同、露光動作直後の状態を示す正面図である。
【図５】従来のシャッタ駆動機構を示す正面図である。
【図６】従来のストッパ部を説明する拡大断面図である。
【符号の説明】
１      基板
１ｆ    ストッパ部
１０    開口
２１    第１閉鎖レバー
２２    第２閉鎖レバー
２３    開放レバー
３０    セットレバー
４１    付勢部材
【図１】
0004394295.tif 000002
【図２】
0004394295.tif 000003
【図３】
0004394295.tif 000004
【図４】
0004394295.tif 000005
【図５】
0004394295.tif 000006
【図６】
0004394295.tif 000007